(57)【要約】【課題】  充填物を充填後の石袋の吊り上げ、あるいは吊降ろし作業時における破網を最小限にくい止め、充填材が袋体から外部へ飛散することを防止する。【解決手段】  ラッセル網により石袋を形成する。ラッセル網は、網糸の一部を太糸ａとし、該太糸ａを交差させて編み上げることにより補強部６を形成する。補強部６は、所定間隔毎に配設されることが好ましい。また、太糸ａは、他の部分の網糸に対して１．１〜２．０倍の太さを有することが好ましい。【選択図】          図２
2005054400.tif 000002
【特許請求の範囲】
【請求項１】
内部に充填材を充填するラッセル網からなる石袋であって、
前記ラッセル網は、網糸の一部を太糸とし、該太糸を交差させて編み上げることにより補強部を形成したことを特徴とする石袋。
【請求項２】
前記補強部は、所定間隔毎に配設されていることを特徴とする請求項１記載の石袋。
【請求項３】
前記太糸は、他の部分の網糸に対して１．１〜２．０倍の太さを有することを特徴とする請求項１または２記載の石袋。
【発明の詳細な説明】
【技術分野】
【０００１】
本発明は、袋内部に割栗石やコンクリートブロックなどの充填材（中詰材）を充填する土木用の石袋に関する。
さらに詳しくは、河川あるいは海岸の護岸、暗渠、斜面の被覆などに用いられる石袋に関し、例えば、河床の洗掘に伴う護岸基礎部および橋脚周辺の保護、あるいは施工時における法面の保護や仮締切または仮設道路の基礎として利用される。
【背景技術】
【０００２】
従来、ラッセル網を使用した袋体が種々提案されている。
このようなラッセル網を使用した袋体は、例えば水中構造物の洗掘防止材として用いられるものである（例えば、特許文献１参照）。
【０００３】
また、石袋の底部には多大な加重が加わり易いため、破損し易い。このような問題に対して、石袋の底部において、幾重にもロープを通して巾着状に絞り補強すると同時に、同心円状に補強ロープを取り付ける技術が開発されている（例えば、特許文献２参照）。
【０００４】
【特許文献１】実公平５−４０１０３号公報
【０００５】
【特許文献２】特開平１０−１１４９２６号公報
【発明の開示】
【発明が解決しようとする課題】
【０００６】
しかしながら、上記特許文献１に記載のラッセル網は、網地を構成している網糸が充填物によって傷つくと、その部分から網目がほどけて比較的簡単に破網するという問題があった。
【０００７】
また、上記特許文献２に記載の技術によれば、たしかに充填物を充填した底部の一部は補強されるが、楕円形に膨らんだ他の網地部分は補強されていないため破網し易い。また、同心円状のロープは、吊り上げ時には補強効果があるが、網地へのロープ通しなどの作業性が悪いという問題があった。
【０００８】
本発明は、かかる従来の問題点に鑑み提案されたもので、充填物を充填後の石袋の吊り上げ、吊降ろし作業時における破網を最小限にくい止め、充填材が袋体から外部へ飛散することのない石袋を提供することを目的とする。
【課題を解決するための手段】
【０００９】
本発明に係る石袋は、上述した目的を達成するため、以下の特徴点を備えている。
すなわち、本発明に係る石袋は、内部に充填材を充填するラッセル網からなる石袋であって、
前記ラッセル網は、網糸の一部を太糸とし、該太糸を交差させて編み上げることにより補強部を形成したことを特徴とするものである。
【００１０】
ここで、ラッセル網の網糸は、例えば、ポリエステル繊維、ナイロン繊維、ポリエチレン繊維、ポリプロピレン繊維等を使用することができ、その繊度は５００デシテックス以上であることが好ましい。また、充填材（中詰材）は、割栗石やコンクリートブロック等が使用される。
【００１１】
このような構成からなる石袋では、網糸の一部に太糸を使用し、該太糸を交差させて編み上げることにより、袋体の強度を高めることができる。また、太糸を交差させて編み上げて補強部としているため、石袋を吊り下げた際に、袋体の底部において十分な強度を発揮することができる。
【００１２】
また、本発明に係る石袋において、前記補強部は、所定間隔毎に配設されていることが好ましい。
このような構成からなる石袋では、全体の重量を増加させることなく、土木用の石袋として十分な強度を発揮することができる。
【００１３】
また、本発明に係る石袋において、前記太糸は、他の部分の網糸に対して１．１〜２．０倍の太さを有することが好ましい。
このような構成からなる石袋では、編網性を損なうことなく、土木用の石袋として十分な強度を発揮することができる。
【発明の効果】
【００１４】
本発明に係る石袋は、網糸の一部に太糸を使用し、該太糸を交差させて編み上げることにより補強部が形成されているため、土木用の石袋として十分な強度が発揮される。
【００１５】
したがって、充填物が充填された石袋の吊り上げ作業、および吊降ろし作業時において、破網を最小限にくい止め、充填材の飛散を防止することが可能となる。
また、補強用のロープ等を使用する必要がないため、施工時における作業性を向上させることが可能となる。
【発明を実施するための最良の形態】
【００１６】
以下、図面を参照して、本発明に係る石袋の実施形態について説明する。
図１は本発明の実施形態に係る石袋で使用するラッセル網地を示す模式図、図２は図１に示すラッセル網地を折り畳んで袋状となした状態の模式図、図３は石袋中に充填材を充填して上部開口部を閉じた状態を示す説明図である。
【００１７】
＜ラッセル網地＞
本発明の実施形態に係る石袋で使用するラッセル網地は、図１に示すように、網糸の一部に太糸ａを使用し、該太糸ａを編み上げることにより補強部６が形成されている。具体的には、例えばフロント用糸に太糸ａを使用して編み上げることにより、編み立て方向に太糸ａを編み上げた補強部６が存在することになる。
【００１８】
この場合、所定間隔毎に補強部６を形成することが好ましい。このように、所定間隔毎に補強部６を形成することにより、全体の重量を増加させることなく、土木用の石袋として十分な強度を発揮することができる。なお、網糸の太さや、網糸の材質に基づく強度等の相違により、補強部６の間隔を適宜変更して実施することができる。
【００１９】
ラッセル網地の網糸は、例えばポリエステル繊維、ナイロン繊維、ポリエチレン繊維、ポリプロピレン繊維等を使用することができる。
網糸は、耐候性や美観の点から原着化された網糸が好ましく、さらに、環境保護の点からリサイクル糸（エコ糸）を使用することが好ましい。
【００２０】
網糸の繊度は、５００デシテックス以上であることが好ましい。すなわち、網糸の繊度が５００デシテックス未満の場合には、目的の網地強力を得るために幾本も引きそろえする必要があり、作業性が悪化するだけではなく、網糸が網針へ引っかかるため編網性が悪くなり、網地の品位が悪化する。
【００２１】
太糸ａは、他の部分の網糸ｂと比較して、１．１〜２．０倍の太さであることが好ましい。すなわち、太糸ａの太さが他の部分の網糸ｂの１．１倍未満である場合には、指定重量の充填材を充填して吊り上げ、あるいは吊り下げた位置から落下させた際に、破網して充填材が石袋の外部へ飛散する危険性が高くなる。一方、太糸ａの太さを他の部分の網糸ｂの２．０倍以上とすることも可能であるが、この場合には編網性が悪化するおそれがある。したがって、土木用の石袋として使用する場合には、太糸ａの太さを他の部分の網糸ｂの１．１〜２．０倍の太さとすれば十分である。
【００２２】
このようにして編網したラッセル網地を、補強部６ａが荷重方向となるようにして袋状に成形し、石袋とする。この際、図１に示すように、太糸ａが十文字に交差して補強部６を形成するように編網することが必要である。さらに、２に示すように、袋体１の底部２において補強部６が十文字に交差するように編網することが好ましい。すなわち、太糸ａが十文字に交差して補強部６形成するように編網することにより、袋体１の強度を高めることができる。また、破網を防止するため、袋体１の底部２において、補強部６が十文字状態、すなわち、左右、前後に均等とすることが好ましい。これにより、石袋を吊り上げた際に重量が均等に加わり、破網を防止することができる。
【実施例】
【００２３】
次に、具体的な実施例に基づいて、本発明に係る石袋を説明する。
なお、実施例における評価は、下記により実施した。
（１）網地強力
仮説工業会、１本２節法に準じて測定した。
【００２４】
（２）吊り上げ、落下テスト
充填材として人頭大の割栗石２ｔを石袋に投入し、石袋の底からの高さが５ｍとなるまでクレーン車で吊り上げた後、石袋を落下させ、底部の網地が破網し充填材が袋外部に飛散するまでの回数を試験した。また、落下後の吊り上げ状態を観察した。
【００２５】
＜実施例＞  原着化された再生ポリエステル糸を使用し、２８０Ｔ換算で５６本の網糸により編網した。補強部分の網糸（太糸）は、２８０Ｔ換算で７６本を使用して、図１に示すように編網した。編網した網地を２重に重ね、図３に示すように石袋３を成形し、石袋３の上部に吊り上げ用ロープ４を配した。吊り上げ用ロープ４には、ポリエステル繊維で構成された９ｍｍのものを使用した。また、石袋３の内部には、人頭大の割栗石５を２ｔ充填した。
【００２６】
＜比較例１＞
原着化された再生ポリエステル糸を使用し、２８０Ｔ換算で５６本の網糸によりラッセル網地を編網した。補強部の網糸は２８０Ｔ換算で６０本を使用して編網した以外は実施例と同様に成形し、石袋とした。
【００２７】
＜比較例２＞
原着化された再生ポリエステル糸を使用し、２８０Ｔ換算で５６本の網糸によりラッセル網地を編網した以外は実施例と同様に成形し石袋とした。
【００２８】
＜比較結果＞
実施例と比較例１および比較例２に関し、網地強力テストおよび吊り上げ、落下テストを行った。このテスト結果を下記表１に示す。
【００２９】
【表１】
2005054400.tif 000003
【００３０】
表１に示すように、実施例では、網地強度が９６０Ｎであり、吊り上げ状態において６回目に小破網したものの、落下を６回以上繰り返しても破網しなかった。これに対して、比較例１および比較例２では、網地強度が実施例よりも低く、吊り下げ状態において４回目で落石し、落下４回目で破網してしまった。
【００３１】
このように、実施例に係る石袋は、土木用の石袋として十分な強度を有し、吊り上げや落下テストに十分耐えることができた。したがって、従来の石袋のように、側面に補強用ロープを使用する必要が無く、簡便でしかもコストのかからない実用に即した石袋とすることができる。
【図面の簡単な説明】
【００３２】
【図１】本発明の実施形態に係る石袋で使用するラッセル網地を示す模式図。
【図２】図１に示すラッセル網地を折り畳んで袋状となした状態の模式図。
【図３】石袋中に充填材を充填して上部開口部を閉じた状態を示す説明図。
【符号の説明】
【００３３】
１  袋体
２  底部
３  石袋
４  吊り上げ用ロープ
５  割栗石
６  補強部
ａ  太糸
ｂ  他の部分の網糸
【図１】
2005054400.tif 000004
【図２】
2005054400.tif 000005
【図３】
2005054400.tif 000006